(57)【要約】【課題】  車両を洗浄する洗浄手段と、通貨を受付け可能な通貨受付装置と、金額データを記録した記録媒体からの金額データの読取りと記録媒体への金額データの書込みとを行うリーダライタとを備えた洗車機において、顧客が通貨受付装置から入金できる機会を少なくして、記録媒体に記録されている金額が極力低額になるようにし、しかも洗車機の稼働率低下を回避できるようにする。【解決手段】  洗車機は、記録媒体Ｐに記録されていてリーダライタ１７により読み取られた金額が洗車料金に対して不足のないときは通貨を受付けず、また前記不足のあるときは通貨を受付けるように通貨受付装置Ｍを制御する入金制御手段と、通貨受付装置Ｍで受付けた入金額と記録媒体Ｐに記録されている金額とを合算した合計金額と洗車料金との差額を演算し、該差額を記録媒体Ｐに書き込むようにリーダライタ１７を制御する精算制御手段とを備える。【選択図】  図４
2005029095.tif 000002
【特許請求の範囲】
【請求項１】
車両を洗浄する洗浄手段と、通貨を受付け可能な通貨受付装置と、金額データを記録した記録媒体からの金額データの読取りと記録媒体への金額データの書込みとを行うリーダライタとを備えた洗車機において、
記録媒体に記録されていて前記リーダライタにより読み取られた金額が洗車料金に対して不足のないときは通貨を受付けず、また前記不足のあるときは通貨を受付けるように前記通貨受付装置を制御する入金制御手段と、
前記通貨受付装置で受付けた入金額と記録媒体に記録されている金額とを合算した合計金額と洗車料金との差額を演算し、該差額を記録媒体に書き込むように前記リーダライタを制御する精算制御手段とを備えたことを特徴とする、洗車機。
【請求項２】
記録媒体に記録されていて前記リーダライタにより読み取られた金額が洗車料金に対して不足のないときに、前記通貨受付装置が通貨を受付けない旨を報知するための報知手段を備えることを特徴とする、請求項１に記載の洗車機。
【発明の詳細な説明】
【技術分野】
【０００１】
本発明は、洗車機、特に車両を洗浄する洗浄手段と、通貨を受付け可能な通貨受付装置と、金額データを記録した記録媒体からの金額データの読取りと記録媒体への金額データの書込みとを行うリーダライタとを備えた洗車機に関する。
【背景技術】
【０００２】
従来、通貨を受付け可能な通貨受付装置と、金額データを記録した記録媒体、例えばプリペイドカードからの金額データの読取りと同カードへの金額データの書込みとを行うリーダライタと、販売時に通貨受付装置が受け付けた通貨の入金額とプリペイドカードに記録されている金額との合計金額が販売金額よりも多い場合に、前記合計金額と販売金額との差額を新たな金額としてプリペイドカードに書込む制御を行う精算制御手段とを備えた精算装置は知られている（下記特許文献１，２を参照）。
【特許文献１】特開２００１−９７４９８号公報
【特許文献２】特開２００２−２０５７９９号公報
【発明の開示】
【発明が解決しようとする課題】
【０００３】
ところが上記従来の精算装置は、プリペイドカードに記録することができる所定の上限金額を超えない範囲で、プリペイドカードの所有者がいつでも任意に通貨受付装置から入金できるようになっている。このため、プリペイドカードには前記上限金額を超えない限度において高額の金額データを記録させておくことができるが、そのような場合にプリペイドカードの金額データの破損、カード紛失等の事故が発生したときには、プリペイドカードの所有者に高額の損害を与えてしまう虞れがあった。
【０００４】
また、上記精算装置を、洗車料金の精算に用いるべく仮に洗車機に装備したとすると、洗車の際にプリペイドカードに記録されている金額が洗車料金に対し不足していない場合であっても通貨受付装置による入金が可能な状態となり、そのような場合に顧客が入金を行うと、その入金を行う時間だけ洗車機の稼働ができなくなる（即ち、入金を行う時間だけ洗車時間が長引いてしまう）ため、洗車機の稼働率が低下する問題が生じる。
【０００５】
本発明は、上記に鑑み提案されたものであって、上記虞れ及び上記問題を解決できる洗車機を提供することを目的とする。
【課題を解決するための手段】
【０００６】
上記目的を達成するために、請求項１の発明は、車両を洗浄する洗浄手段と、通貨を受付け可能な通貨受付装置と、金額データを記録した記録媒体からの金額データの読取りと記録媒体への金額データの書込みとを行うリーダライタとを備えた洗車機において、記録媒体に記録されていて前記リーダライタにより読み取られた金額が洗車料金に対して不足のないときは通貨を受付けず、また前記不足のあるときは通貨を受付けるように前記通貨受付装置を制御する入金制御手段と、前記通貨受付装置で受付けた入金額と記録媒体に記録されている金額とを合算した合計金額と洗車料金との差額を演算し、該差額を記録媒体に書き込むように前記リーダライタを制御する精算制御手段とを備えたことを特徴としている。
【０００７】
また請求項２の発明は、上記請求項１の特徴に加えて、記録媒体に記録されていて前記リーダライタにより読み取られた金額が洗車料金に対して不足のないときに、前記通貨受付装置が通貨を受付けない旨を報知するための報知手段を備えることを特徴とする。
【発明の効果】
【０００８】
以上のように本発明によれば、記録媒体に記録されていてリーダライタにより読み取られた金額が洗車料金に対して不足のないときは通貨を受付けず、また前記不足のあるときは通貨を受付けるように通貨受付装置を制御するので、顧客が通貨受付装置から入金できる機会を少なくすることができて、記録媒体に記録されている金額を極力低額になるようにすることができ、これにより、記録媒体の金額データの破損等が発生したときの顧客の損害を極力少なくすることができる。その上、洗車の際に記録媒体に記録されている金額が洗車料金に対し不足のない場合に入金が制限されることで、その入金に因る洗車機の稼働率低下を回避することができる。また通貨受付装置で受付けた入金額と記録媒体に記録されている金額とを合算した合計金額と洗車料金との差額を演算し、該差額を記録媒体に書き込むようにしているから、通貨受付装置からの入金の有無に関係なく洗車料金の精算を的確に行うことができる。
【０００９】
また特に請求項２の発明によれば、記録媒体に記録されていてリーダライタにより読み取られた金額が洗車料金に対して不足のないときに、通貨受付装置が通貨を受付けない旨を報知手段が報知するようにしたので、通貨受付装置が通貨を受付けないにも拘わらず顧客が無理に入金しようとするなどして洗車受付操作が遅れる事態を未然に回避でき、洗車機の稼働率向上に寄与することができる。
【発明を実施するための最良の形態】
【００１０】
以下、本発明の実施の形態を、添付図面に示した本発明の実施例に基づいて以下に具体的に説明する。
【００１１】
添付図面において、図１は、本発明の実施例に係る洗車機の全体平面図、図２は、前記洗車機の全体側面図、図３は、前記洗車機の操作パネルを示す拡大正面図、図４は、前記洗車機の洗車受付のための処理手順（前半）を示すフローチャート、図５は、前記洗車機の洗車受付のための処理手順（後半）を示すフローチャート、図６は、記録媒体としてのプリペイドカードの印字部分を示す正面図である。
【００１２】
先ず、図１，図２において、洗車機の洗車機本体１は、車両としての自動車Ｖを跨ぎ得る門型フレーム２を備え、この門型フレーム２に設けられた左右一対の前車輪３，３および左右一対の後車輪４，４は、左右一対の走行レール５，５上を走行する。前車輪３，３には走行モータ６が連結され、この走行モータ６により門型フレーム２を走行レール５，５に沿って往復走行させることができる。
【００１３】
門型フレーム２には、洗浄手段としてのトップブラシ７及び左右一対のサイドブラシ８，８と、乾燥手段としてのトップノズル９及び左右一対のサイドノズル１０，１０と、図示しない洗浄水噴射手段とが設けられており、これら手段の作動は、従来普通の洗車機と同様である。
【００１４】
走行レール５，５の間には、自動車Ｖが所定の洗車位置Ｖ２にあるときの右前輪に対応してストッパー１１と光電センサー１２とが設けられている。光電センサー１２は、投光器１２ａと受光器１２ｂとから構成され、その構造、作用は従来公知である。尚、図１で一点鎖線１２ｃは光電センサー１２の光軸を表している。
【００１５】
そして、自動車Ｖの右前輪をストッパー１１に当てて停止させることにより、その自動車Ｖを所定の洗車位置Ｖ２に停止させることができるようになっている。
【００１６】
また、光電センサー１２は、自動車Ｖの右前輪が前記光軸１２ｃを遮るのを検知してその右前輪を検出することにより、自動車Ｖが所定の洗車位置Ｖ２に停止したことを検出できるようになっている。
【００１７】
走行レール５，５の前端の前方には、洗車受付装置１３が設置されており、その洗車受付装置１３のケーシング前面には操作パネル１４が設けられる。次に図３を併せて参照して、操作パネル１４の構成を具体的に説明する。
【００１８】
操作パネル１４には、その上部において紙幣挿入口１５ａ、硬貨挿入口１６ａ及びカード挿入口１７ａが横並びに配設され、またその下側において液晶パネル等からなる表示装置１８が、更にその下側において洗車コース選択装置１９が、更にその下側において、表示ランプ２２ａ，２３ａ，２４ａを各々有する領収書請求キー２２、スタートキー２３及びキャンセルキー２４がそれぞれ配設される。更に操作パネル１４の下部には、案内用音声出力孔２７ａと硬貨返却・領収書取出兼用口２６とが配設される。
【００１９】
前記洗車コース選択装置１９は、図示例では「シャンプー洗車」選択キー２０と、「ワックス洗車」選択キー２１とを備えており、その各々の選択キー２０，２１にもそれぞれランプ２０ａ，２１ａが付設される。そして、「シャンプー洗車」選択キー２０が選択操作されると、洗車機本体１の往復走行に伴い洗剤を用いた洗車が行われ、また「ワックス洗車」選択キー２１が選択操作されると、洗車機本体１の往復走行に伴いワックスを用いた洗車が行われる。
【００２０】
また洗車受付装置１３のケーシング内には、前記紙幣挿入口１５ａに挿入された紙幣を受け入れて計数する紙幣入金装置１５と、前記硬貨挿入口１６ａに挿入された硬貨を受け入れて計数する硬貨入金装置１６と、前記カード挿入口１７ａに挿入されたプリペイドカードＰに記録されているデータの読取りと同カードＰへのデータの書込みとを行うカードリーダライタ１７と、前記案内用音声出力孔２７ａに対応して案内用音声を発する内蔵スピーカ２７と、前記兼用口２６に対応して領収書を印刷して該口２６から排出し得るプリンタ２５とが配設される。而して前記カードリーダライタ１７は、本発明のリーダライタを構成し、また前記紙幣入金装置１５及び硬貨入金装置１６は、互いに協働して本発明の通貨受付装置Ｍを構成する。
【００２１】
前記プリペイドカードＰは、本発明の記録媒体を構成するものであって、これには、データ記録用の磁気トラック（図示せず）と、書換え可能な印字部Ｐａとが設けられる。その印字部Ｐａには、図６に例示したように、有効期限と残高と累計ポイントとが並記され、更に利用実績がある場合には、前回の利用金額および利用後残高と、前回選択された洗車コースの種別とが併せて並記される。
【００２２】
さらに洗車受付装置１３のケーシング内には、洗車受付け機能を果たすべく該受付装置１３の各部の作動を制御するための洗車受付制御装置２８が配設され、また洗車機本体１に設置された制御盤２９内には、洗車受付制御装置２８で受付けられた洗車コースを実行すべく所定の制御プログラムに基づいて前記洗浄手段７，８、乾燥手段９，１０及び洗浄水噴射手段の作動を制御するための洗車機本体制御装置３０が配設される。
【００２３】
前記洗車受付制御装置２８は、プリペイドカードＰに記録されていてカードリーダライタ１７により読み取られた金額が洗車料金に対して不足のないときは通貨（即ち紙幣及び硬貨）を受付けず、また前記不足のあるときは通貨を受付けるように前記通貨受付装置Ｍを制御する入金制御手段Ｃ１と、その通貨受付装置Ｍで受付けた入金額とプリペイドカードＰに記録されている金額とを合算した合計金額と洗車料金との差額を演算し、該差額を該カードＰに書き込むようにカードリーダライタ１７を制御する精算制御手段Ｃ２とを備えており、これら制御手段Ｃ１，Ｃ２の機能は、図示例では洗車受付制御装置２８を構成するマイクロコンピュータにより果たされる。
【００２４】
次に、前記実施例の作用を説明する。
【００２５】
洗車受付に当たり選択した洗車コースの料金に対して、プリペイドカードＰに記録されている金額データ即ち残高が不足していないケースと、不足しているケースとに場合分けして以下に順次説明する。
［残高不足でないケース］
洗車位置Ｖ２に自動車Ｖが入っていない状態で洗車を始めるものとする。また、自動車Ｖの運転者は、図６（Ａ）に示す残高１０００円が磁気トラックに記録されたプリペイドカードＰを所有しているとする。
【００２６】
先ず、自動車Ｖの運転者は、図１に示す洗車受付装置１３の横の受付位置Ｖ１に自動車Ｖを停止させる。次に運転者は、受付位置Ｖ１に停止している自動車Ｖから降りて、操作パネル１４と対面する操作位置ＳＰ（図１において二点鎖線で示す位置）に立つ。運転者が操作位置ＳＰに立つと、図示されていない検知装置が運転者の存在を検知し、スピーカ２７から、「カードを入れて下さい」との音声案内がなされる。
【００２７】
そこで先ず、運転者がプリペイドカードＰをカード挿入口１７ａに挿入すると（ステップＳ１）、ステップＳ２に進んで、挿入されたプリペイドカードＰの磁気トラックに記録されている有効期限、残高Ｂをカードリーダライタ１７が読み取る。そして、有効期限を過ぎていない場合は、洗車選択装置１９の各選択キー２０，２１の選択操作を促すべく、それらキーのランプ２０ａ，２１ａを点滅させて、ステップＳ３へ進む。
【００２８】
ステップＳ３において、洗車選択装置１９の各選択キー２０，２１の何れかが選択操作されると、ステップＳ４へ進む。
【００２９】
ステップＳ４において、前記ステップＳ３で押された洗車コースの料金Ｆに対して前記残高Ｂが不足していないか否か判断される。このケースでは不足していないと判断されるので、ステップＳ５に進む。
【００３０】
このステップＳ５において、前記ステップＳ３で押された洗車コースキー、例えば「ワックス洗車」選択キー２１に対応するランプ２１ａを点灯すると共に他方のランプ２０ａを消灯し、またスタートキー２３のランプ２３ａを点滅させ、更に報知手段としてのスピーカ２７から「現金の追加はできません」と音声案内し、ステップＳ６へ進む。
【００３１】
ステップＳ６において、領収書請求キー２２が押されたか判断され、押されていないときはステップＳ７に進み、また押されたときはステップＳ８に進んで、領収書発行命令を記憶してからステップＳ７へ進む。
【００３２】
ステップＳ７において、スタートキー２３が押されたか判断され、押されていないときはステップＳ４へ戻り、また押されたときはステップＳ９に進んで、前記ステップＳ５で点灯・点滅したランプ２１ａ・２３ａを消灯してから、ステップＳ１０へ進む。
【００３３】
ステップＳ１０において、領収書発行命令の記憶のないときはステップＳ１１へ進み、また記憶のあるときはステップＳ１２へ進んでプリンタ２５により領収書を発行させてから、ステップＳ１１へ進む。
【００３４】
ステップＳ１１において、前記残高Ｂから前記ステップＳ３で押された洗車コースの料金Ｆを減算した利用後残高ＵＢ（ＵＢ＝Ｂ−Ｆ）を新たな残高として、プリペイドカードＰの磁気トラックに書き込むと共に、同カードＰの印字部Ｐａに、利用金額及び利用後残高を印字し、ステップＳ１３へ進む。このとき、例えば前記ステップＳ３で、利用料金が５００円の「ワックス洗車」が選択された場合は、図６（Ｂ）に示すように印字部Ｐａに印字される。
【００３５】
次にステップＳ１３において、プリペイドカードＰをカード挿入口１７ａへ排出し、ステップＳ１４へ進む。
【００３６】
ステップＳ１４において、プリペイドカードＰが抜き取られたか判断され、そのカードＰが抜き取られたことを抜取り検出装置（図示せず）が検出すると、ステップＳ１５へ進む。
【００３７】
ステップＳ１５において、前記ステップＳ３で選択された「洗車コース」に対応する信号が受付制御装置２８から洗車機本体制御装置３０へ送られる。尚、以上のステップＳ２〜Ｓ１５において、通貨受付装置Ｍ（紙幣入金装置１５及び硬貨入金装置１６）は、通貨受付けを不能とする制御状態（例えば紙幣挿入口１５ａ、硬貨挿入口１６ａを図示しないシャターで塞ぐとか、紙幣入金装置１５や硬貨入金装置１６を不作動状態として入金を不可能にする等）に置かれる。
【００３８】
次に運転者が自動車Ｖを受付位置Ｖ１から洗車位置Ｖ２へ前進移動させ、自動車Ｖの右前輪をストッパ１１に当てて停車させる。自動車Ｖが停車したことを光電センサ１２が検出すると、受付制御装置２８から送られた「洗車コース」の洗車が実行される。
［残高不足のケース］
洗車位置Ｖ２に自動車Ｖが入っていない状態で洗車を始めるものとする。また、自動車Ｖの運転者は、図６（Ｃ）に示す残高２００円が磁気トラックに記録されたプリペイドカードＰを所有しているとする。この場合、そのカードＰには、利用後残高２００円と印字されている。
【００３９】
ステップＳ１からステップＳ４までの処理手順は、前記［残高不足でないケース］と同じである。
【００４０】
そして、ステップＳ４において、前記ステップＳ３で押された洗車コースの料金Ｆに対して前記残高Ｂが不足していないか否か判断される。このケースでは不足していると判断されるので、ステップＳ２０に進んで、通貨受付装置Ｍ（紙幣入金装置１５及び硬貨入金装置１６）を通貨受付け可能な制御状態とし、ステップＳ２１に進む。
【００４１】
ステップＳ２１において、入金禁止の記憶があるか判断され、記憶がないときはステップＳ２２へ進み、記憶があるときはステップＳ２４へ進む。
【００４２】
ステップＳ２２において、通貨が紙幣挿入口１５ａ又は硬貨挿入口１６ａに挿入されたか判断され、挿入されたときはステップＳ２３へ進み、挿入されないときはステップＳ２４へ進む。
【００４３】
ステップＳ２３において、挿入された通貨を加算し、その入金総額Ｔを表示装置１８に表示し、ステップＳ２４へ進む。
【００４４】
ステップＳ２４において、入金総額Ｔが入金制限額Ａ（例えば１万円）に達したか判断され、達していないときはステップＳ２５へ進む。また入金総額Ｔが入金制限額Ａに達したときは、ステップＳ２６へ進む。
【００４５】
ステップＳ２６において、入金禁止を記憶すると共に、報知手段としてのスピーカ２７から「入金制限額に達しました。現金の入金はできません」と音声案内し、ステップＳ２５へ進む。
【００４６】
ステップＳ２５において、入金総額Ｔが不足額Ｓ（即ち選択された洗車コースの料金Ｆから残高Ｂを減算した金額）に達したか判断され、達したときは、ステップＳ２７へ進んで、前記ステップＳ３で押された洗車コースキー、例えば「ワックス洗車」選択キー２１に対応するランプ２１ａを点灯すると共に他方のランプ２０ａを消灯し、更にスタートキー２３のランプ２３ａを点滅させ、ステップＳ６へ進む。また、入金総額Ｔが不足額Ｓに達しないときは、ステップＳ４へ戻る。
【００４７】
ステップＳ６〜Ｓ１０，Ｓ１２の処理手順は、前記［残高不足でないケース］と同じである。
【００４８】
そして、ステップＳ１１において、前記入金総額Ｔから不足額Ｓを減算した利用後残高ＵＴ（ＵＴ＝Ｔ−Ｓ）を新たな残高Ｂとして、プリペイドカードＰの磁気トラックに書き込むと共に、同カードＰの印字部Ｐａに、利用金額及び利用後残高を印字し、また新たな有効期限を同カードＰの磁気トラックに書き込み且つ同カードＰの印字部Ｐａに印字し、ステップＳ１３へ進む。このとき、例えば前記ステップＳ３で、利用料金が５００円の「ワックス洗車」が選択され、また入金総額Ｔが１０００円である場合は、図６（Ｄ）に示すように印字部Ｐａに印字される。即ち、新料金カード部分の残高ＰＴが入金総額Ｔで、新料金カード部分の利用後残高ＰＵＴが利用後残高ＵＴで、有効期限Ｋが利用後残高ＰＵＴの有効期限となる。
【００４９】
また、ステップＳ１３〜Ｓ１５の処理手順は、前記［残高不足でないケース］と同じである。
【００５０】
而して前記実施例の作用からも明らかなように、通貨受付装置Ｍ（紙幣入金装置１５及び硬貨入金装置１６）は、洗車受付時にプリペイドカードＰに記録されていてカードリーダライタ１７により読み取られた金額（残高Ｂ）が、選択された洗車コースの料金Ｆに対して不足のないときは通貨を受付けず、また前記不足のあるときは通貨を受付けるように制御される。このため、顧客が通貨受付装置Ｍから入金できる機会をできるだけ少なくすることができて、プリペイドカードＰに記録されている金額を極力低額になるようにすることができるから、プリペイドカードＰの金額データの破損等が発生したときの顧客の損害を極力少なくすることができる。
【００５１】
その上、洗車の際にプリペイドカードＰに記録されている残高Ｂが洗車コースの料金Ｆに対し不足のない場合に入金が制限されることで、その入金に因る洗車機の稼働率低下を回避することができる。尚、上記場合に、図示例では、「現金の追加はできません」との音声案内がなされるため（ステップＳ５）、通貨受付装置Ｍが通貨を受付けないにも拘わらず顧客が無理に入金しようとするなどして洗車受付操作が遅れる事態を未然に回避することができる。
【００５２】
以上、本発明の実施例について説明したが、本発明はその実施例に限定されることなく、本発明の範囲内で種々の実施例が可能である。
【００５３】
例えば、前記実施例では、記録媒体としてプリペイドカードＰを用いたが、本発明では、記録データの読取り及び書込みが可能な、プリペイドカード以外の種々の記録媒体、例えばＩＣカード、非接触ＩＣカード等の使用が可能であり、それら記録媒体の種類に応じてリーダライタも適宜選択される。
【００５４】
また前記実施例では、報知手段としてスピーカ２７を用いて音声で報知するようにしているが、この音声報知手段に代えて、或いは加えて、液晶パネル等の視覚報知手段で報知するようにしてもよい。
【００５５】
また前記実施例では、洗車受付をプリペイドカードＰのみで行うカード専用タイプの洗車機に実施したものを示した（即ち、前記実施例では、洗車受付けに際し原則的に通貨受付け不能な制御状態に置き、ステップＳ４で残高不足と判断されたときに通貨受付け可能な制御状態に切換えるようにした制御例を示している）が、本発明では、洗車受付をプリペイドカードＰと現金の何れでも行うカード・現金併用タイプの洗車機に実施してもよい。この場合に、通貨受付装置Ｍ（紙幣入金装置１５及び硬貨入金装置１６）は、洗車受付開始前はいつでも通貨受付け可能な制御状態に置かれるが、最初にプリペイドカードＰが挿入されると、以後は本実施例と同様、ステップＳ２以降は原則的に（即ちステップＳ４で残高不足と判断されない限り）通貨受付け不能な制御状態に置かれる。
【図面の簡単な説明】
【００５６】
【図１】本発明の実施例に係る洗車機の全体平面図
【図２】前記洗車機の全体側面図
【図３】前記洗車機の操作パネルを示す拡大正面図
【図４】前記洗車機の洗車受付のための処理手順（前半）を示すフローチャート
【図５】前記洗車機の洗車受付のための処理手順（後半）を示すフローチャート
【図６】前記実施例における記録媒体としてのプリペイドカードの印字部分を示す正面図
【符号の説明】
【００５７】
Ｃ１・・・入金制御手段
Ｃ２・・・精算制御手段
Ｍ・・・・通貨受付装置
Ｐ・・・・プリペイドカード（記録媒体）
Ｖ・・・・自動車（車両）
１・・・・洗車機本体
７・・・・トップブラシ（洗浄手段）
８・・・・サイドブラシ（洗浄手段）
１５・・・紙幣入金装置
１６・・・硬貨入金装置
１７・・・カードリーダライタ（リーダライタ）
２７・・・スピーカ（報知手段）
２８・・・洗車受付制御装置
【図１】
2005029095.tif 000003
【図２】
2005029095.tif 000004
【図３】
2005029095.tif 000005
【図４】
2005029095.tif 000006
【図５】
2005029095.tif 000007
【図６】
2005029095.tif 000008